(57)【要約】  液状化粧料が含浸された軟質の保持体からなるリフィル２と、該リフィル２を収容するための収容容器４と、リフィル２の詰め替えに使用するための補助具６とを備え、収容容器４は、合成樹脂製のシートから形成されたシート成形品であって、上面開口のリフィル収容凹部を有しており、該リフィル収容凹部にリフィル２が収容されており、補助具６は、リフィル２を引っ掛けるためのフック部と、リフィル２を狭持するための狭持部とを備えている。
2019078132.tif 000002
【特許請求の範囲】
【請求項１】
液状化粧料が含浸された軟質の保持体からなるリフィルと、該リフィルを収容するための収容容器と、リフィルの詰め替えに使用するための補助具とを備え、
収容容器は、合成樹脂製のシートから形成されたシート成形品であって、上面開口のリフィル収容凹部を有しており、該リフィル収容凹部にリフィルが収容されており、
補助具は、リフィルを引っ掛けるためのフック部と、リフィルを狭持するための狭持部とを備えていることを特徴とする化粧品用のリフィル包装体。
【請求項２】
補助具は、合成樹脂製のシートから収容容器と一体的に形成されて収容容器の周縁部の外側に切り離し線を介して切離可能に設けられており、
補助具は、切り離し線の方向に沿って長い形状であって、補助具の一端部には、補助具の一方の側縁部側を向いたフック部が形成され、補助具の中途部には補助具を二つ折りに折り曲げるための折り曲げ線が形成されており、補助具の両端部が狭持部を構成している請求項１記載の化粧品用のリフィル包装体。
【請求項３】
補助具の他端部側には、該他端部側の所定長さ領域を折り曲げるための折り曲げ線が形成され、補助具の他端部には先鋭部が形成されている請求項２記載の化粧品用のリフィル包装体。
【請求項４】
補助具の一端部側の一方の側縁部に切欠部が形成され、該切欠部の先端側に残った部分からフック部が構成されており、
補助具の中途部の折り曲げ線から一端部までの長さは、補助具の中途部の折り曲げ線から他端部側の折り曲げ線までの長さよりも長い請求項３記載の化粧品用のリフィル包装体。
【請求項５】
補助具の一端部における他方の側縁部には、コーナー部が斜めに切除された傾斜直線部が形成されている請求項２乃至４の何れかに記載の化粧品用のリフィル包装体。
【請求項６】
補助具における中途部の折り曲げ線に近い位置であって中途部の折り曲げ線の両側には、それぞれ滑り止め用凸部が形成され、中途部の折り曲げ線の両側の滑り止め用凸部と補助具の両端部との間には、補助具の長手方向に沿って延びる補強用突条が形成されており、滑り止め用凸部は、補助具の両面のうち一方の面に突出し、補強用突条は、補助具の両面のうち他方の面に突出している請求項２乃至５の何れかに記載の化粧品用のリフィル包装体。
【請求項７】
リフィル収容凹部の開口縁部にはテーパ部が形成されており、該テーパ部の下端部はリフィルの上面よりも下側に位置している請求項１乃至６の何れかに記載の化粧品用のリフィル包装体。
【請求項８】
液状化粧料が含浸された軟質の保持体からなるリフィルを収容するための収容容器と、リフィルの詰め替えに使用するための補助具とを備え、
収容容器は、合成樹脂製のシートから形成されたシート成形品であって、上面開口のリフィル収容凹部を有しており、
補助具は、リフィルを引っ掛けるためのフック部と、リフィルを狭持するための狭持部とを備えていることを特徴とする化粧品用のリフィル包装用容器。
【発明の詳細な説明】
【技術分野】
【０００１】
本発明は、化粧品用のリフィルが容器に収容されたリフィル包装体と、リフィル包装用容器に関する。
【背景技術】
【０００２】
下記特許文献１のように、ファンデーションを収容するための容器としては、上面開口の中皿が本体容器に着脱可能に装着されているものが一般的である。中皿には粉状のファンデーションが充填されて押し固められている。ファンデーションを使い切ったときには、本体容器から使用済みの中皿を取り出して、ファンデーションが充填された新しい中皿と交換していた。【０００３】
一方、下記特許文献２では、液状のファンデーションを化粧料容器に収容している。化粧料容器は、外容器と内容器とを備えた二重構造である。液状のファンデーションはスポンジ等の保持体に含浸されている。保持体は内容器に収容されている。内容器は外容器に着脱自在に装着される。ファンデーションを使い切ったときには、保持体を収容した内容器を外容器から取り出し、新しい内容器に交換する。従って、リフィルは、保持体を収容した内容器である。【０００４】
このような外容器と内容器を備えた化粧料容器の一例を図１６及び図１７に示している。図１６は内容器１２１が外容器１１１に装着された状態を示しており、図１７は内容器１２１が外容器１１１から外された状態を示している。外容器１１１は、外容器本体１１２と外蓋１１３とを備えている。内容器１２１は、内容器本体１２２と内蓋１２３と抜け止めリング１２４を備えている。抜け止めリング１２４は、保持体１０１が内容器本体１２２から抜けないようにするためのものであり、内容器本体１２２の開口縁部に装着されている。内容器本体１２２と内蓋１２３と抜け止めリング１２４は、何れも射出成形された射出成形品である。【０００５】
ファンデーションを使い切ったときには、保持体１０１だけではなく保持体１０１を収容した内容器１２１の全体を新しいものに交換する。即ち、使用済みの保持体を収容した古い内容器１２１を外容器１１１から取り外して廃棄し、未使用の保持体を収容した新しい内容器１２１を外容器１１１に装着する。【０００６】
内容器１２１は複数の射出成形品によって構成されており、内容器１２１を組み立てるためには、多くの工数が必要である。そのため、内容器１２１の製造コストは高く、リフィルが高価なものになる。
【先行技術文献】
【特許文献】
【０００７】
【特許文献１】特許第３７９２７５４号公報
【特許文献２】韓国公開特許第１０−２０１６−０１０８６９６号公報
【発明の概要】
【発明が解決しようとする課題】
【０００８】
それゆえに本発明は上記従来の問題点に鑑みてなされ、化粧品用のリフィルを安価に提供することを課題とする。
【課題を解決するための手段】
【０００９】
本発明は、上記課題を解決すべくなされたものであって、本発明に係る化粧品用のリフィル包装体は、液状化粧料が含浸された軟質の保持体からなるリフィルと、該リフィルを収容するための収容容器と、リフィルの詰め替えに使用するための補助具とを備え、収容容器は、合成樹脂製のシートから形成されたシート成形品であって、上面開口のリフィル収容凹部を有しており、該リフィル収容凹部にリフィルが収容されており、補助具は、リフィルを引っ掛けるためのフック部と、リフィルを狭持するための狭持部とを備えていることを特徴とする。【００１０】
該構成のリフィル包装体においては、リフィルを収容するための収容容器がシート成形品であって、簡易な包装形態となっている。また、補助具を備えているので、その補助具を用いることによってリフィルのみを容易に交換することができる。ファンデーション容器の場合を例にして具体的に説明すると、ファンデーション容器に収容されている使用済みの保持体を補助具のフック部で引っ掛けてファンデーション容器から引っ張り出す。そして、ファンデーション容器から引っ張り出した保持体を補助具の狭持部で挟んでファンデーション容器から取り外して廃棄する。その後、収容容器から新しいリフィルを取り出す。その際にも、収容容器のリフィル収容凹部からリフィルを補助具のフック部で引っ掛けて引っ張り出すことができ、そして、収容容器から引っ張り出したリフィルを補助具の狭持部で狭持して収容容器から取り出して、ファンデーション容器に装着することができる。このように補助具を用いてリフィルの詰め替え作業を行うことができるので、化粧料が手に付着しないで済む。また、保持体のみを交換することができるので、ファンデーション容器は現状のまま繰り返し使用できる。【００１１】
特に、補助具は、合成樹脂製のシートから収容容器と一体的に形成されて収容容器の周縁部の外側に切り離し線を介して切離可能に設けられており、補助具は、切り離し線の方向に沿って長い形状であって、補助具の一端部には、補助具の一方の側縁部側を向いたフック部が形成され、補助具の中途部には補助具を二つ折りに折り曲げるための折り曲げ線が形成されており、補助具の両端部が狭持部を構成していることが好ましい。このように補助具が収容容器と一体的に形成されていると、より一層安価に製造できる。そして、補助具の一端部に一方の側縁部側を向くようにしてフック部が形成されているので、補助具の中途部や他端部側を指でシートの厚み方向に掴むようにしながら先端のフック部でリフィルや使用済みの保持体を容易に引っ掛けることができる。補助具はシート成形品であるのでシートの厚み方向の力に対しては撓みやすいものの、厚み方向と直交する方向の力に対しては大きな強度がある。保持体をフック部で引っ掛ける際、フック部にはシートの厚み方向と直交する方向に力が作用することになるため、補助具がシート成形品であっても、保持体をフック部で確実に引っ掛けることができる。また、補助具を中途部の折り曲げ線で二つ折りに折り曲げることで、補助具をピンセット型とすることができる。即ち、補助具は、中途部の折り曲げ線から延びる一対の腕部を有する形態となる。補助具の一端部側が第一の腕部であり、補助具の他端部側が第二の腕部である。中途部の折り曲げ線でシートの弾性復元力が生じるので、両腕部は完全に閉じた状態にはならず、所定の開き角度に開いた状態に維持される。従って、ピンセット型となった補助具の両端部で保持体を容易に挟むことができる。尚、フック部は一方の狭持部を兼ねることになる。【００１２】
更に、補助具の他端部側には、該他端部側の所定長さ領域を折り曲げるための折り曲げ線が形成され、補助具の他端部には先鋭部が形成されていることが好ましい。該構成では、補助具を二つ折りのピンセット型にして使用する際に、補助具の他端部側の所定長さ領域を第一の腕部側に向けて例えば９０度折り曲げて使用できる。そのように補助具の他端部側の所定長さ領域を第一の腕部側に折り曲げることで、保持体をより一層確実に狭持することができる。更に、補助具の他端部には先鋭部が形成されているので、保持体を狭持する際に先鋭部が保持体に引っ掛かりやすくなって、保持体をより一層確実に狭持できる。【００１３】
更に、補助具の一端部側の一方の側縁部に切欠部が形成され、該切欠部の先端側に残った部分からフック部が構成されており、補助具の中途部の折り曲げ線から一端部までの長さは、補助具の中途部の折り曲げ線から他端部側の折り曲げ線までの長さよりも長いことが好ましい。切欠部を形成することによってその先端側にフック部を形成することにより、フック部が補助具の一方の側縁部側に大きく突出することがなく、シートの無駄を少なくすることができる。一方、切欠部を形成することで補助具の一端部側が細くなる。そのため、補助具を二つ折りのピンセット型として保持体を狭持する際に、補助具のフック部が撓みやすくなる。そこで、補助具の中途部の折り曲げ線から一端部までの長さを、補助具の中途部の折り曲げ線から他端部側の折り曲げ線までの長さよりも長く設定しておくと、保持体をしっかりと狭持することができる。【００１４】
また、補助具の一端部における他方の側縁部には、コーナー部が斜めに切除された傾斜直線部が形成されていることが好ましい。リフィルをリフィル収容凹部から取り出した後に、リフィル収容凹部に残っているファンデーションを補助具の傾斜直線部で容易に掻き集めて回収することができる。そして、回収したファンデーションをリフィルと共にファンデーション容器に移すことができ、ファンデーションを無駄なく使用することができる。【００１５】
また、補助具における中途部の折り曲げ線に近い位置であって中途部の折り曲げ線の両側には、それぞれ滑り止め用凸部が形成され、中途部の折り曲げ線の両側の滑り止め用凸部と補助具の両端部との間には、補助具の長手方向に沿って延びる補強用突条が形成されており、滑り止め用凸部は、補助具の表裏両面のうち一方の面に突出し、補強用突条は、補助具の表裏両面のうち他方の面に突出していることが好ましい。補助具を二つ折りのピンセット型とする際には、滑り止め用凸部が二つ折り状態の補助具の各腕部の外面側に突出した状態となり、補強用突条が補助具の各腕部の内面側に突出した状態となるように補助具を折り曲げることが好ましい。滑り止め用凸部は中途部の折り曲げ線の両側であってその折り曲げ線に近い位置に形成されているので、ピンセット型の補助具の一対の腕部の基端部にそれぞれ滑り止め用凸部が位置する。従って、ピンセット型の補助具を指で掴む際に、それらの滑り止め用凸部に指が触れ、指が滑りにくくなる。一方、中途部の折り曲げ線から離れた位置には補強用突条がそれぞれ形成されているので、ピンセット型の補助具で保持体を狭持する際に補助具の一対の腕部が撓みにくくなって、保持体を確実に狭持できる。また、補強用突条はピンセット型とした補助具の各腕部の内面側に突出しているので、ピンセット型の補助具を指で掴む際に、補強用突条に指が触れない。従って、補助具をしっかりと指で掴むことができる。【００１６】
また、リフィル収容凹部の開口縁部にはテーパ部が形成されており、該テーパ部の下端部はリフィルの上面よりも下側に位置していることが好ましい。このようにリフィルの上面よりも下側まで延びるテーパ部を設けると、該テーパ部をガイドとして、補助具のフック部をリフィル収容凹部の壁面とリフィルとの間に容易に挿入させることができる。そのため、リフィルをフック部で容易に引っ張り出すことができる。【００１７】
また、本発明に係る化粧品用のリフィル包装用容器は、液状化粧料が含浸された軟質の保持体からなるリフィルを収容するための収容容器と、リフィルの詰め替えに使用するための補助具とを備え、収容容器は、合成樹脂製のシートから形成されたシート成形品であって、上面開口のリフィル収容凹部を有しており、補助具は、リフィルを引っ掛けるためのフック部と、リフィルを狭持するための狭持部とを備えていることを特徴とする。
【発明の効果】
【００１８】
以上のように、収容容器がシート成形品であるので射出成形品に比して安価である。しかも、補助具によって保持体のみを詰め替えることができるので、ファンデーション容器等の化粧料容器において保持体を収容した射出成形容器を詰め替え毎に廃棄する必要がなくなる。従って、ファンデーション容器等の化粧料容器を現状のまま繰り返し使用することができ、詰め替えに際して新しい射出成形容器は不要となって、詰め替えコストを低減できる。
【図面の簡単な説明】
【００１９】
【図１】本発明の一実施形態における化粧品用のリフィル包装体の展開状態を示す平面図。
【図２】同包装体の断面図。
【図３】同包装体の折り畳み状態を示す平面図。
【図４】同包装体の折り畳み状態を示す断面図。
【図５】同包装体に使用されているリフィル包装用容器を示す平面図。
【図６】図５のＡ−Ａ断面図。
【図７】同包装体の補助具を示す平面図。
【図８】同補助具を二つ折りの状態とした斜視図。
【図９】（ａ）及び（ｂ）は化粧料容器から使用済みの保持体を取り出すときの状態を示す要部断面図。
【図１０】化粧料容器から使用済みの保持体を取り出すときの状態を示す要部断面図。
【図１１】リフィル包装体からリフィルを取り出すときの状態を示す平面図。
【図１２】同包装体からリフィルを取り出すときの状態を示す要部断面図。
【図１３】（ａ）及び（ｂ）は同包装体からリフィルを取り出した後の補助具の使用状態を示す要部断面図。
【図１４】本発明の他の実施形態におけるリフィル包装体を示す平面図。
【図１５】（ａ）及び（ｂ）は、本発明の他の実施形態におけるリフィル包装体の補助具の要部を示す平面図。
【図１６】化粧料容器の一例を示す斜視図。
【図１７】同化粧料容器の分解斜視図。
【発明を実施するための形態】
【００２０】
以下、本発明の一実施形態に係る化粧品用のリフィル包装体１及びリフィル包装用容器について図１〜図１３を参酌しつつ説明する。図１及び図２にリフィル包装体１の展開状態を示しており、図３及び図４にはリフィル包装体１が二つ折りに折り畳まれた状態を示している。リフィル包装体１は、図３及び図４に示しているように、二つ折りの状態とされて、二点鎖線で示しているパウチ１００によって密封包装されて流通される。尚、図２に矢印Ｚ１で示している方向を上側とし、矢印Ｚ２で示している方向を下側として説明する。化粧品としては、液状化粧料であって、液状のファンデーションやチーク等であるが、本実施形態ではファンデーションの場合を例にして説明する。
【００２１】
＜全体構成＞
リフィル包装体１は、ファンデーションのリフィル２と、ファンデーションを塗るための塗布具であるパフ３と、リフィル２及びパフ３を収容するためのリフィル包装用容器と、フィルム蓋５とを備えている。リフィル包装用容器は、リフィル２を収容するためのリフィル収容凹部７とパフ３を収容するためのパフ収容凹部８とを有する収容容器４と、リフィル２の詰め替えに使用される補助具６とを備えている。フィルム蓋５は、リフィル収容凹部７を密封するためのものである。
【００２２】
＜リフィル２＞
リフィル２は、液状のファンデーションと、該ファンデーションを吸着保持するための保持体とを備えている。ファンデーションは保持体に含浸されている。保持体は、容易に変形できる柔らかい軟質のものである。保持体は、ファンデーションを吸着保持できるように多孔質の構造である。保持体は、例えばスポンジであって、合成樹脂から発泡成形されたものとしてよい。発泡樹脂としては、例えば発泡ウレタンが好ましい。リフィル２は、中心線の方向の寸法が直径よりも小さい円柱状である。リフィル２の平面視の形状は円形の他、例えば矩形であってもよい。即ち、リフィル２は、直方体であってもよい。
【００２３】
＜パフ３＞
パフ３は柔らかい軟質のものであって、例えばスポンジ等の多孔質の発泡樹脂製のものの他、シリコン製の非発泡のものであってもよい。また、パフ３は、縫製されたものであってもよい。即ち、パフ３は、中心のクッション材が、縫製された生地で覆われた構成であってもよい。パフ３の上面の中央部には帯３０が装着されている。パフ３の平面視の形状は円形の他、例えば矩形であってもよい。
【００２４】
＜収容容器４＞
図５にリフィル包装用容器を示している。リフィル包装用容器は、一枚の合成樹脂製のシートから構成されていて、シート成形によって形成されたものである。即ち、リフィル包装用容器は、シート成形品である。リフィル包装用容器は、収容容器４と補助具６とを備えている。リフィル包装用容器を構成しているシートは、種々の合成樹脂であってよく、特に、ポリプロピレン系樹脂（ＰＰ）や非晶性ポリエチレンテレフタレート（Ａ−ＰＥＴ）が好ましい。シートの厚みは、例えば０．３〜１．０ｍｍとしてよい。収容容器４は、シートの上面にリフィル収容凹部７とパフ収容凹部８とを備えている。即ち、リフィル収容凹部７とパフ収容凹部８は、何れもシートの同一の面である上面に形成されていて、何れも上側に開口している。リフィル収容凹部７とパフ収容凹部８は所定方向に並んで配置されている。
【００２５】
収容容器４は、リフィル収容凹部７を有するリフィル容器１０と、パフ収容凹部８を有するパフ容器２０とを備えている。リフィル容器１０とパフ容器２０は、一枚のシートから一体的に形成されている。リフィル容器１０とパフ容器２０との境界部分には両者を連結するための幅狭の連結部９が形成されており、該連結部９の中央には折り曲げ線１１が直線状に形成されている。収容容器４は、折り曲げ線１１によって二つの部分に区画されており、区画された一方の部分がリフィル容器１０であり、他方の部分がパフ容器２０である。リフィル容器１０とパフ容器２０は、折り曲げ線１１を介して隣り合っている。リフィル容器１０とパフ容器２０は、折り曲げ線１１と直交する方向に並んでおり、リフィル収容凹部７とパフ収容凹部８は、折り曲げ線１１と直交する方向に並んでいる。リフィル容器１０とパフ容器２０は、折り曲げ線１１を回転中心軸として互いに回動できる。従って、リフィル容器１０とパフ容器２０は、図１及び図２に示すような開いた状態から、互いの上面同士が向かい合うように二つ折りの状態とした図３及び図４のような閉じた状態とすることができる。
【００２６】
＜リフィル容器１０＞
リフィル容器１０は、底面部１２と、底面部１２の周縁部から上側に延びる側面部１３と、該側面部１３の上端部から外側に延びるフランジ部１４とを備えている。側面部１３は底面部１２の周縁部から上側に向けて略垂直に延びている。フランジ部１４は、側面部１３の上端部から外側に向けて略水平に延びている。底面部１２と側面部１３から、リフィル収容凹部７が形成されている。リフィル収容凹部７の上面は開口しており、その開口部からリフィル２がリフィル収容凹部７に収容される。底面部１２と側面部１３は、リフィル２の形状に対応した形状となっている。リフィル２が平面視円形状である場合、底面部１２は円形状であり、側面部１３は円筒状であり、リフィル収容凹部７の開口部も円形状である。尚、リフィル２が平面視矩形状である場合、底面部１２は矩形状であり、側面部１３は角型筒状であり、リフィル収容凹部７の開口部は矩形状である。側面部１３の上端部がリフィル収容凹部７の開口縁部である。
【００２７】
図６にも示しているように、側面部１３の上端部には上側に向けて拡径していくテーパ部１５が形成されている。テーパ部１５は、側面部１３の上端部の全周のうち一部のみに形成されている。即ち、テーパ部１５は、側面部１３の上端部の全周のうちの一部を切り欠くようにして形成されている。テーパ部１５の個数と配置は任意であるが、本実施形態では、テーパ部１５は二箇所形成されている。二箇所のテーパ部１５は互いに周方向に離間している。二箇所のテーパ部１５同士の間の中心角は１８０度よりも小さい角度である。テーパ部１５は、リフィル収容凹部７に収容されたリフィル２の上面２ａよりも下側の位置まで延びていることが好ましい。即ち、テーパ部１５の下端部１５ａは、リフィル２の上面２ａよりも下側に位置することが好ましい。但し、テーパ部１５の下端部１５ａは、底面部１２の上面よりも上側に離間して位置することが好ましい。
【００２８】
フランジ部１４は、シート成形前のシートの基準となる部分である。フランジ部１４の外縁の形状は任意であって円形状であってもよいが、本実施形態では矩形状であり、具体的には、折り曲げ線１１の方向が長辺の方向となる長方形状である。フランジ部１４の外縁はリフィル容器１０の外縁となる。フランジ部１４の外縁を構成する四辺のうちの一辺に連結部９が設けられている。連結部９は一方の長辺の略中央部に形成されていて、その長さは長辺よりも短い。フランジ部１４の上面には係止凹部１６が形成されている。係止凹部１６は連結部９や折り曲げ線１１とは反対側に位置していて、他方の長辺の近傍に位置している。係止凹部１６は長辺方向に間隔をあけて一対形成されている。
【００２９】
＜パフ容器２０＞
パフ容器２０は連結部９によってリフィル容器１０と連結されている。パフ容器２０は、底面部２２と、底面部２２の周縁部から上側に略垂直に延びる側面部２３と、該側面部２３の上端部から外側に略水平に延びるフランジ部２４とを備えている。底面部２２と側面部２３から、パフ収容凹部８が形成されている。パフ収容凹部８の上面は開口しており、その開口部からパフ３がパフ収容凹部８に収容される。底面部２２と側面部２３は、パフ３の形状に対応した形状となっている。パフ３が円形状であることから、底面部２２は円形状であり、側面部２３は円筒状であり、パフ収容凹部８の開口部も円形状である。側面部２３の上端部がパフ収容凹部８の開口縁部である。パフ３がリフィル２よりも薄いことから、パフ容器２０の側面部２３の高さはリフィル容器１０の側面部１３の高さよりも低い。従って、パフ収容凹部８の深さはリフィル収容凹部７の深さよりも浅い。
【００３０】
底面部２２には貫通孔２５が形成されている。該貫通孔２５は、底面部２２の中心に対して、折り曲げ線１１や連結部９とは反対側にオフセットして位置している。貫通孔２５の形状は略半円状である。貫通孔２５の大きさは指を一本挿入できる程度である。略半円状の貫通孔２５の直線部分が折り曲げ線１１から遠い側に位置し、略半円状の貫通孔２５の円弧状部分が折り曲げ線１１に近い側に位置している。図３及び図４のように収容容器４を折り曲げ線１１で二つ折りとした折り畳み状態から図１及び図２のような展開状態とする際に、貫通孔２５に指を挿入してパフ容器２０をリフィル容器１０に対して開くことができる。詳細には、指の指紋側の面を貫通孔２５の直線部分に向けて、貫通孔２５の直線部分に指を引っ掛けてパフ容器２０をリフィル容器１０から引き離すように引っ張って回動させる。
【００３１】
フランジ部２４は、成形前のシートの基準となる部分である。パフ容器２０のフランジ部２４はリフィル容器１０のフランジ部２４と同一高さである。フランジ部２４の外縁の形状は任意であって円形状であってもよいが、本実施形態では矩形状であり、具体的には、折り曲げ線１１の方向が長辺の方向となる長方形状である。フランジ部２４の外縁はパフ容器２０の外縁となる。パフ容器２０の長辺の長さは、リフィル容器１０の長辺の長さよりも短い。フランジ部２４の外縁を構成する四辺のうちの一辺に連結部９が設けられている。連結部９はフランジ部２４の一方の長辺の略中央部に形成され、連結部９の長さはフランジ部２４の長辺の長さよりも短い。
【００３２】
フランジ部２４の上面には係止凸部２６が形成されている。係止凸部２６は連結部９や折り曲げ線１１とは反対側に位置していて、フランジ部２４の他方の長辺の近傍に位置している。係止凸部２６は長辺方向に間隔をあけて一対形成されている。一対の係止凸部２６はリフィル容器１０の一対の係止凹部１６に対応した位置に形成されている。図３及び図４のように収容容器４を閉じた状態において、パフ容器２０の一対の係止凸部２６はリフィル容器１０の一対の係止凹部１６に嵌入している。係止凸部２６が係止凹部１６に嵌入することにより、収容容器４の閉じた状態が維持される。尚、パフ容器２０のフランジ部２４の短辺の長さとリフィル容器１０のフランジ部１４の短辺の長さは等しい。一方、パフ容器２０のフランジ部２４の長辺の長さはリフィル容器１０のフランジ部１４の長辺の長さよりも短い。従って、図３のようにリフィル容器１０の上にパフ容器２０を重ね合わせた折り畳み状態においては、リフィル容器１０のフランジ部１４の長辺方向の端部がパフ容器２０の外縁から外側にはみ出す。そのはみ出したリフィル容器１０のフランジ部１４のはみ出し部１７を一方の手で掴んでリフィル容器１０を固定しつつ、パフ容器２０の底面部２２の貫通孔２５に他方の手の指を挿入して、収容容器４を図１及び図２のような展開状態とすることができる。
【００３３】
＜フィルム蓋５＞
フィルム蓋５は、リフィル収容凹部７の開口部を密封している。フィルム蓋５は、リフィル容器１０のフランジ部１４の上面であってリフィル収容凹部７の開口部の周囲に剥離可能に貼着されている。フィルム蓋５はフランジ部１４の上面に剥離可能にヒートシールされることが好ましい。そのため、フィルム蓋５は、裏面にヒートシール層を備えることが好ましい。フィルム蓋５はフランジ部１４の上面に粘着剤で剥離可能に貼着されていてもよい。また、フィルム蓋５は、ガスバリア性を有することが好ましく、ガスバリア層を備えていることが好ましい。ガスバリア層としては例えばアルミ蒸着層やアルミ箔とすることができる。フィルム蓋５は、リフィル収容凹部７の開口部の形状に対応した形状であることが好ましい。本実施形態では、リフィル収容凹部７の開口部が円形状であるため、それに対応して、フィルム蓋５は円形状であることが好ましい。尚、リフィル収容凹部７の開口部が矩形状である場合には、フィルム蓋５も矩形状としてよい。フィルム蓋５の外縁には、開封用の摘み部３１が外側に向けて突設されている。
【００３４】
＜補助具６＞
補助具６は、リフィル２の詰め替え作業に使用される。補助具６は、収容容器４と共に一枚のシートから一体的に形成されている。補助具６は、収容容器４の周縁部の外側に切り離し線４０を介して切離可能に形成されている。補助具６は、切り離し線４０を切離することで、収容容器４から分離できる。補助具６は、リフィル容器１０のフランジ部１４の外縁に切り離し線４０を介して連続して形成されている。補助具６は、リフィル容器１０のフランジ部１４の一対の長辺のうち、折り曲げ線１１とは反対側の長辺の外側に設けられている。
【００３５】
補助具６は、切り離し線４０の方向に沿って長い形状である。補助具６は、リフィル容器１０の長辺方向に沿って長い帯状である。補助具６の長手方向の長さは、リフィル容器１０の長辺の長さと等しいかあるいは若干短い。補助具６の長手方向の両端部は、リフィル容器１０の一対の短辺よりも外側にはみ出していない。
【００３６】
図７及び図８にリフィル容器１０から切り離した補助具６を単体の状態で示している。補助具６は、長手方向の両端部のうちの一方の端部である一端部にフック部４１を備えている。フック部４１は、リフィル２や使用済みの保持体１０１を引っ掛けるためのものである。フック部４１の先端部は、補助具６の両側縁部６ａ，６ｂのうちの一方の側縁部６ａを向いている。補助具６の一方の側縁部６ａはリフィル容器１０側に位置する側縁部６ａであり、補助具６の他方の側縁部６ｂはリフィル容器１０とは反対側に位置する側縁部６ｂである。従って、図１のようにフック部４１はリフィル容器１０側を向いている。
【００３７】
フック部４１は補助具６の短手方向の最大寸法よりも側方にはみ出しておらず、その最大寸法内に収まっている。補助具６の一端部側の一方の側縁部６ａには切欠部４２が形成されている。切欠部４２は補助具６の一端部側に向けて徐々に幅広となっている。このように補助具６の一方の側縁部６ａに切欠部４２が形成されることにより、切欠部４２よりも先端側には、切り欠かれずに残ったシートの部分が存在することになる。そのシートの残部がフック部４１である。
【００３８】
補助具６の一端部におけるフック部４１とは反対側の他方の側縁部６ｂには、コーナー部が斜めに切除されることによって傾斜直線部４３が形成されている。傾斜直線部４３は、他方の側縁部６ｂからフック部４１側に向けて傾斜しつつ延びている。補助具６の長手方向に対する傾斜直線部４３の傾斜角度は種々であってよいが、例えば３０度以上であることが好ましい。補助具６の長手方向に対する傾斜直線部４３の傾斜角度が３０度未満になると、フック部４１の基端部が細くなって撓みやすくなりリフィル２を狭持しにくくなる。補助具６の長手方向に対する傾斜直線部４３の傾斜角度が９０度になると、実質上、コーナー部が切除されないこととなって傾斜直線部４３が消滅する。従って、補助具６の長手方向に対する傾斜直線部４３の傾斜角度は９０度未満である。
【００３９】
補助具６の長手方向の両端部のうち、フック部４１とは反対側の端部である他方の端部、即ち長手方向の他端部には、先鋭部４４が形成されている。先鋭部４４の形態は種々であってよいが、本実施形態では、複数の先鋭部４４が補助具６の短手方向に沿って一列に並んだ形態となっている。即ち、複数の先鋭部４４はノコギリ状となっている。先鋭部４４は先細りの形状であって具体的には頂角が４５度以下の三角形状である。
【００４０】
補助具６の長手方向の中途部には補助具６を二つ折りに折り曲げるための折り曲げ線４５が形成されている。この折り曲げ線４５を中央折り曲げ線４５と称することとする。中央折り曲げ線４５は、補助具６の短手方向に沿って直線状に延びていて、補助具６を短手方向に横断している。中央折り曲げ線４５の位置は補助具６の長手方向の中央部よりも他端部側にオフセットした位置である。詳細には、中央折り曲げ線４５から補助具６の一端部までの長さＬ１は、中央折り曲げ線４５から補助具６の他端部までの長さＬ２よりも長い。補助具６は中央折り曲げ線４５によって二つの領域に区分され、各領域が腕部４６，４７となる。従って、補助具６は、中央折り曲げ線４５から延びる一対の腕部４６，４７を備えている。第一の腕部４６はフック部４１を有し、第二の腕部４７は先鋭部４４を有する。中央折り曲げ線４５から補助具６の一端部までの長さＬ１が、中央折り曲げ線４５から補助具６の他端部までの長さＬ２よりも長いので、第一の腕部４６の長さは、第二の腕部４７の長さよりも長い。
【００４１】
補助具６の他端部近傍には、補助具６の他端部側の所定長さ領域を折り曲げるための折り曲げ線４８が形成されている。この折り曲げ線４８を端部折り曲げ線４８と称することとする。端部折り曲げ線４８は補助具６の短手方向に沿って直線状に延びていて、補助具６を短手方向に横断している。端部折り曲げ線４８と中央折り曲げ線４５は互いに平行である。端部折り曲げ線４８は、補助具６の他端部から５〜１０ｍｍ程度離れた位置にある。中央折り曲げ線４５から補助具６の一端部までの長さＬ１は、中央折り曲げ線４５から端部折り曲げ線４８までの長さＬ３よりも長い。端部折り曲げ線４８は、第二の腕部４７の先端部近傍に形成されている。上述のように第二の腕部４７の長さは第一の腕部４６の長さよりも短いが、端部折り曲げ線４８で第二の腕部４７の先端部を折り曲げることで更に第二の腕部４７の長さは短くなる。第二の腕部４７は端部折り曲げ線４８によって二つの領域に区分される。第二の腕部４７は、中央折り曲げ線４５から端部折り曲げ線４８までの腕主部４７ａと、端部折り曲げ線４８から先端側の部分である腕先部４７ｂとを備える。Ｌ３は腕主部４７ａの長さである。
【００４２】
補助具６の中央折り曲げ線４５に近い箇所には、滑り止め用凸部として、補助具６の短手方向に延びる横突条４９が形成されている。横突条４９は、中央折り曲げ線４５の両側にそれぞれ複数本並設されている。本数は任意であるが、片側に三本ずつ、両側合計で六本形成されている。換言すれば、第一の腕部４６の基端部近傍と第二の腕部４７の基端部近傍にそれぞれ滑り止め用の横突条４９が三本ずつ形成されている。横突条４９の幅は細く、後述する縦突条５０の幅は広い。横突条４９はシートの下面側に突出している。
【００４３】
このように横突条４９は中央折り曲げ線４５に近い位置に形成されているが、中央折り曲げ線４５から離れた遠い位置には、補強用突条として、補助具６の長手方向に延びる縦突条５０が形成されている。第一の腕部４６には、横突条４９とフック部４１との間に縦突条５０が形成されている。第一の腕部４６の縦突条５０は、複数本並設されていて、具体的には二本形成されている。この二本の縦突条５０のうちの一方は他方よりも長くて細い。第二の腕部４７には、横突条４９と端部折り曲げ線４８との間に縦突条５０が形成されている。第二の腕部４７の縦突条５０は、複数本並設されていて、具体的には二本互い平行に形成されている。この二本の縦突条５０は略等しい長さである。縦突条５０はシートの上面側に突出している。従って、横突条４９の突出方向と縦突条５０の突出方向は上下逆である。尚、横突条４９がシートの下面側に突出し、縦突条５０がシートの上面側に突出していてもよい。
【００４４】
＜詰め替え作業＞
詰め替え作業には補助具６を使用する。まず、補助具６を収容容器４から切り離す。図１及び図２のようにリフィル包装体１を展開した後に補助具６を収容容器４から補助具６を切り離してもよいし、図３及び図４のようにリフィル包装体１が折り畳まれた状態で補助具６を収容容器４から切り離してもよい。
【００４５】
収容容器４から切り離した補助具６を使用して、まず初めに、使用済みの保持体１０１を化粧料容器１１０から取り外す。上述のように、外容器１１１と内容器１２１とを備えた二重構造となっている化粧料容器１１０を例にして説明するが、内容器１２１を備えない構成であってもよい。内容器１２１に収容された保持体１０１を内容器１２１から取り出す際に補助具６を使用する。内容器１２１から保持体１０１を取り出す際には、中央折り曲げ線４５や端部折り曲げ線４８を折り曲げずに補助具６は図７のように平坦な状態のままで使用する。内容器本体１２２の開口縁部に装着されている抜け止めリング１２４は内容器本体１２２から取り外さずに装着したままの状態とする。また、詰め替え作業に際しては、図１７のように外容器１１１から内容器１２１を取り外した状態としてもよいし、図１６のように外容器１１１に内容器１２１を装着した状態のまま取り出し作業を行ってもよい。
【００４６】
図９及び図１０に保持体１０１を内容器１２１から取り出す手順を示している。図９及び図１０では内容器本体１２２と抜け止めリング１２４のみを図示している。初めに、図９（ａ）のように補助具６のフック部４１を内容器本体１２２の側面部１２２ａの内面と保持体１０１の側面との間に差し込む。フック部４１におけるシートの両面のうち一方の面が内容器本体１２２の側面部１２２ａの内面と対向し、一方の面が保持体１０１の側面と対向する。補助具６はシート製であるため薄肉である。そのため、補助具６の平板状のフック部４１を内容器本体１２２の側面部１２２ａの内面と保持体１０１の側面との間に容易に差し込むことができる。内容器本体１２２の開口縁部には抜け止めリング１２４が装着されており、抜け止めリング１２４は内容器本体１２２の開口部の中心に向けて内向きの環状鍔部１２４ａを有している。そのため、補助具６を内容器本体１２２の中心側に傾けた状態としてフック部４１を内容器本体１２２の側面部１２２ａの内面と保持体１０１の側面との間に差し込む。
【００４７】
次に、図９（ｂ）のように、補助具６をその長手方向を中心軸として略９０度回転させて、フック部４１の先端を内容器本体１２２の中心側に向ける。このようにフック部４１の先端を内容器本体１２２の中心側に向けることで保持体１０１の周縁部の下面にフック部４１を引っ掛けることができる。そして、図１０のように保持体１０１の周縁部をフック部４１で持ち上げるようにして内容器本体１２２から保持体１０１を上側に引き離す。そして、保持体１０１の周縁部のうち例えば略半分を内容器本体１２２から上側に引き出した後、保持体１０１からフック部４１を離す。内容器本体１２２の開口縁部に抜け止めリング１２４が装着されているので、保持体１０１からフック部４１を離しても、保持体１０１は内容器本体１２２の中に戻ることはなく、保持体１０１の所定部分が内容器本体１２２の開口部から上側に引き出された状態が維持される。尚、内容器本体１２２から保持体１０１の全体を引き出してもよいし、保持体１０１の一部のみを引き出してもよい。
【００４８】
このように保持体１０１の少なくとも一部を内容器本体１２２から引き出した後、図８のように補助具６を中央折り曲げ線４５で折り曲げて二つ折りの状態とする。即ち、補助具６をピンセット型とする。尚、補助具６を中央折り曲げ線４５で折り曲げる際には、横突条４９が外面側に位置し、縦突条５０が内面側に位置するように折り曲げる。更に、端部折り曲げ線４８を略９０度折り曲げて先鋭部４４を第一の腕部４６側に向ける。補助具６は合成樹脂製のシートから構成されているので、中央折り曲げ線４５におけるシートの弾性復元力によって、第一の腕部４６と第二の腕部４７は所定の開き角度を維持する。
【００４９】
そして、ピンセット型の補助具６で使用済みの保持体１０１を狭持する。従って、第一の腕部４６の先端部に位置するフック部４１と、第二の腕部４７の先端部に位置する先鋭部４４が、保持体１０１を狭持するための狭持部となる。使用済みの保持体１０１を補助具６の一対の腕部４６，４７で狭持し、その保持体１０１を廃棄する。
【００５０】
次に、図１１のようにフィルム蓋５を剥離してリフィル収容凹部７を開口させ、リフィル収容凹部７からリフィル２を取り出す。リフィル２の取り出しには補助具６を使用する。使用済みの保持体１０１を内容器本体１２２から取り出したときと同様の方法で、リフィル収容凹部７からリフィル２を取り出す。補助具６は、二つ折りのピンセット型の形態から元の平坦な形態に戻し、図１２のようにフック部４１をリフィル収容凹部７に差し込んでリフィル２をリフィル収容凹部７から引き出す。リフィル収容凹部７の開口縁部にテーパ部１５が一対形成されているので、何れかのテーパ部１５にフック部４１を接触させながらリフィル収容凹部７にフック部４１をスムーズに差し込むことができる。即ち、テーパ部１５は、リフィル収容凹部７にフック部４１を差し込む際のガイドとして機能する。テーパ部１５がリフィル２の上面２ａよりも下側の位置まで延びているので、リフィル容器１０の側面部１３とリフィル２との間にフック部４１を容易に差し込むことができる。そして、リフィル収容凹部７に差し込んだフック部４１を略９０度回転させてフック部４１をリフィル２に引っ掛け、フック部４１を持ち上げることでリフィル２の少なくとも一部をリフィル収容凹部７から引き出す。そして、補助具６を再びピンセット型に変形させてリフィル２を狭持してリフィル収容凹部７から完全に取り出し、取り出したリフィル２を内容器本体１２２に挿入する。
【００５１】
リフィル２を取り出した後のリフィル容器１０の底面部１２の上面や側面部１３の内面にはファンデーションが付着している。そこで、補助具６を再び平坦な状態に戻して、フック部４１の背中側に形成されている傾斜直線部４３を図１３（ａ）のように底面部１２の上面に当てたり図１３（ｂ）のように側面部１３の内面に当てたりして、残存しているファンデーションを傾斜直線部４３で掻き集める。掻き集めたファンデーションは、内容器本体１２２に挿入したリフィル２に付着させる等して、内容器本体１２２に移す。尚、パフ容器２０のパフ収容凹部８には新しいパフ３が収容されているので、リフィル２の交換の際に、パフ３も新しいものに交換できる。
【００５２】
以上のように、詰め替えの際に内容器１２１を交換する必要がなく、保持体１０１のみを交換すれば足りる。内容器１２１は繰り返し使用することができる。内容器１２１は内容器本体１２２と内蓋１２３と抜け止めリング１２４を備えており、それらの部材は何れも射出成形品である。また、内容器１２１の組み立て工数は多い。そのため内容器１２１の製造コストは高い。その高価な内容器１２１を詰め替え毎に廃棄する必要がないので、詰め替えに要するコストが低減される。一方、収容容器４は詰め替え後に廃棄されるが、収容容器４はシート成形品であるので射出成形品に比して安価である。しかも、補助具６が収容容器４と共に一枚のシートから一体的に形成されているので、補助具６が収容容器４と別体の構成に比して、リフィル包装体１をより一層安価に提供できる。
【００５３】
また、リフィル包装体１が補助具６を備えているので、その補助具６を使用することで保持体１０１を容易に交換できる。補助具６を用いてリフィル２の詰め替え作業を行うことができるので、ファンデーションが手に付着しない。また、内容器１２１の抜け止めリング１２４も装着したままの状態で、補助具６を使用して保持体１０１を交換でき、詰め替えに際して抜け止めリング１２４を着脱する必要がない。
【００５４】
補助具６がフック部４１を備えているので、フック部４１で保持体１０１を引っ掛けることができる。また、中央折り曲げ線４５で補助具６を二つ折りのピンセット型として保持体１０１を掴むことができる。このように一つの補助具６によって、保持体１０１を引っ掛けて内容器１２１から引っ張り出すことができ、保持体１０１を掴むことができる。更に、端部折り曲げ線４８を折り曲げることで第二の腕部４７の腕先部４７ｂを第一の腕部４６側に向けることができるので、保持体１０１が滑りにくくなって保持体１０１を確実に掴むことができる。しかも、第二の腕部４７の先端部に先鋭部４４が形成されているので、保持体１０１をより一層確実に掴むことができる。
【００５５】
第一の腕部４６の長さＬ１を第二の腕部４７の長さＬ２よりも長くしていて、特に第一の腕部４６の長さＬ１を第二の腕部４７の腕主部４７ａの長さＬ３よりも長くしているので、補助具６をピンセット型として保持体１０１を掴む際に、保持体１０１を容易に掴むことができる。第一の腕部４６には切欠部４２が形成されているので、先端部のフック部４１が細く撓みやすい。しかしながら、第一の腕部４６の長さＬ１が第二の腕部４７の腕主部４７ａの長さＬ３よりも長いので、フック部４１が撓んでも保持体１０１を確実に狭持できる。
【００５６】
一対の腕部４６，４７の基端部側には横突条４９が形成されているので、ピンセット型の補助具６を指で掴んで保持体１０１を狭持する際に、指が滑りにくく、補助具６を指で確実に掴むことができる。また、一対の腕部４６，４７には縦突条５０が形成されているので、腕部４６，４７が撓みにくく、保持体１０１をしっかりと狭持できる。また、補助具６は、フック部４１の背後に傾斜直線部４３を備えているので、リフィル容器１０のリフィル収容凹部７に付着したファンデーションを傾斜直線部４３で掻き集めて内容器１２１に移すことができ、ファンデーションを無駄なく使用できる。
【００５７】
尚、本実施形態では、収容容器４がパフ容器２０を備えていたが、図１４のようにパフ容器２０を備えずにリフィル容器１０のみを備える構成であってもよい。即ち、リフィル包装体１はパフ３を備えていないものであってもよい。また、先鋭部４４の形状も種々変更可能であって、図１５（ａ）のように中央部が尖った一つの先鋭部４４であってもよいし、ナイフのように一方の側縁部６ａに向けて傾斜して尖った一つの先鋭部４４であってもよい。また、補助具６が収容容器４とは別体の構成であってもよい。横突条４９は補助具６の短手方向に沿って延びるものではなく傾斜していてもよい。また、補助具６に滑り止め用凸部として横突条４９が形成されていたが、滑り止め用凸部は突条には限られず、円形状等の各種形状の凸部であってもよい。
【符号の説明】
【００５８】
１    リフィル包装体
２    リフィル
２ａ  上面
３    パフ
４    収容容器
５    フィルム蓋
６    補助具
６ａ  一方の側縁部
６ｂ  他方の側縁部
７    リフィル収容凹部
８    パフ収容凹部
９    連結部
１０    リフィル容器
１１    折り曲げ線
１２    底面部
１３    側面部
１４    フランジ部
１５    テーパ部
１５ａ  下端部
１６    係止凹部
１７    はみ出し部
２０    パフ容器
２２    底面部
２３    側面部
２４    フランジ部
２５    貫通孔
２６    係止凸部
３０    帯
３１    摘み部
４０    切り離し線
４１    フック部（狭持部）
４２    切欠部
４３    傾斜直線部
４４    先鋭部（狭持部）
４５    中央折り曲げ線
４６    第一の腕部
４７    第二の腕部
４７ａ  腕主部
４７ｂ  腕先部
４８    端部折り曲げ線
４９    横突条（滑り止め用凸部）
５０    縦突条（補強用突条）
１００  パウチ
１０１  保持体
１１０  化粧料容器
１１１  外容器
１１２  外容器本体
１１３  外蓋
１２１  内容器
１２２  内容器本体
１２２ａ  側面部
１２３  内蓋
１２４  抜け止めリング
１２４ａ  環状鍔部
【図１】
2019078132.tif 000003
【図２】
2019078132.tif 000004
【図３】
2019078132.tif 000005
【図４】
2019078132.tif 000006
【図５】
2019078132.tif 000007
【図６】
2019078132.tif 000008
【図７】
2019078132.tif 000009
【図８】
2019078132.tif 000010
【図９】
2019078132.tif 000011
【図１０】
2019078132.tif 000012
【図１１】
2019078132.tif 000013
【図１２】
2019078132.tif 000014
【図１３】
2019078132.tif 000015
【図１４】
2019078132.tif 000016
【図１５】
2019078132.tif 000017
【図１６】
2019078132.tif 000018
【図１７】
2019078132.tif 000019
【国際調査報告】
2019078132.tif 000020
2019078132.tif 000021
2019078132.tif 000022
2019078132.tif 000023